【手続補正書】
【提出日】平成26年2月7日(2014.2.7)
【手続補正１】
【補正対象書類名】特許請求の範囲
【補正対象項目名】全文
【補正方法】変更
【補正の内容】
【特許請求の範囲】
【請求項１】
衛星を経由する制御回線により子局から親局に回線割り当てを要求し、上記親局により上記子局に対して通信回線を割り当て、上記子局と相手子局との間で衛星通信を行う回線割当型の衛星通信方法において、上記子局に接続された第１のＩＰ通信端末と上記相手子局に接続された第２のＩＰ通信端末との間でＩＰ通信を行う際に、上記第１のＩＰ通信端末からの上記第２の通信端末の名前解決要求処理の完了を上記親局が検知したことに基づいて、上記親局は上記子局と上記相手子局との間の通信回線を割り当てることを特徴とする衛星通信方法。
【請求項２】
衛星を経由する制御回線により親局に回線割り当てを要求し、上記親局により割り当てられた通信回線により、相手子局との間で衛星通信を行う子局であって、上記子局に接続されたＩＰ通信端末からの名前解決要求メッセージに基づいて、上記制御回線により送信する制御信号を生成する衛星ＧＷ装置と、この衛星ＧＷ装置により生成した上記制御信号を上記制御回線により上記親局へ送信し、上記名前解決要求メッセージに対する回答に基づき上記親局によって割り当てられた通信回線により、上記ＩＰ通信端末からのＩＰデータを上記相手子局に接続されたＩＰ通信端末に送信する衛星通信装置を備えたことを特徴とする子局。
【請求項３】
衛星を経由する制御回線による子局からの回線割り当ての要求に対し、上記子局に対して通信回線を割り当てる親局であって、上記子局に接続されたＩＰ通信端末からの名前解決要求メッセージに基づき上記子局から送信された制御信号を上記制御回線により受信し、この制御信号に基づき生成された上記子局への名前解決要求メッセージへの回答を上記制御回線により送信する親局衛星通信装置と、上記名前解決要求メッセージへの回答に基づき上記子局と上記相手子局との間の通信回線を割り当てる回線制御装置とを備えたことを特徴とする親局。
【請求項４】
衛星を経由する制御回線により子局から親局に回線割り当てを要求し、上記親局により上記子局に対して通信回線を割り当て、上記子局と相手子局との間で衛星通信を行う回線割当型の衛星通信方法において、上記子局に接続された第１のＩＰ通信端末からのＤＮＳプロトコルによる名前解決要求メッセージに基づき、上記子局は上記制御回線により送信する第１の制御信号を生成して上記制御回線により上記親局に送信し、上記第１の制御信号を受信した親局は、宛先である上記相手子局に接続されたＩＰ通信端末のＩＰアドレスを検索し、上記名前解決要求メッセージへの回答を生成して上記制御回線により上記子局へ第２の制御信号を送信すると共に、上記名前解決要求メッセージへの回答生成に基づいて上記子局と上記相手子局との間の通信回線を割り当て、上記子局は上記第２の制御信号を受信して上記名前解決要求メッセージへの回答を再生し、割り当てられた通信回線により上記相手子局に接続されたＩＰ通信端末へデータを送信することを特徴とする衛星通信方法。
【請求項５】
衛星を経由する制御回線により親局に回線割り当てを要求し、上記親局により割り当てられた通信回線により、相手子局との間で衛星通信を行う子局であって、上記子局に接続されたＩＰ通信端末を含む端末装置からの受信データから、その受信データが上記ＩＰ通信端末からのＤＮＳプロトコルによる名前解決要求メッセージであることを判別する判別手段、およびこの判別手段によりＤＮＳプロトコルによる名前解決要求メッセージであることを判別したときに、上記名前解決要求メッセージに基づき上記制御回線により送信される制御信号を生成するメッセージ処理手段を有する衛星ＧＷ装置と、上記衛星ＧＷ装置で生成された上記制御信号を上記制御回線により親局へ送信し、上記名前解決要求メッセージに対する回答に基づき上記親局によって割り当てられた通信回線により、上記ＩＰ通信端末からのＩＰデータを上記相手子局に接続されたＩＰ通信端末に送信する衛星通信装置を備えたことを特徴とする子局。
【請求項６】
衛星を経由する制御回線により子局から要求される、相手子局との間で衛星通信を行う通信回線の回線割り当ての要求に対し、上記子局に対して通信回線を割り当てる親局であって、上記子局から送信された、上記子局に接続されたＩＰ通信端末からのＤＮＳプロトコルによる名前解決要求メッセージに基づく第１の制御信号を上記制御回線により受信する親局衛星通信装置と、この親局衛星通信装置により受信した上記第１の制御信号に基づき上記名前解決要求メッセージの宛先である上記相手子局に接続されたＩＰ通信端末の、ＩＰアドレスを検索する検索手段と、この検索手段の検索結果から上記名前解決要求メッセージへの回答を作成して第２の制御信号を生成するメッセージ処理手段と、上記名前解決要求メッセージへの回答に基づいて上記子局と上記相手子局との間の通信回線を割り当てる回線制御部を備え、上記第２の制御信号および通信回線の割当信号を上記制御回線により上記子局に送信するようにした親局。
【請求項７】
上記制御回線は、ＣＳＣ回線により構成したことを特徴とする請求項１または請求項４に記載の衛星通信方法。
【請求項８】
上記制御回線は、上記通信回線及びＣＳＣ回線とは別に設けた制御回線により構成したことを特徴とする請求項１または請求項４に記載の衛星通信方法。
【請求項９】
上記制御回線は、ＣＳＣ回線により構成したことを特徴とする請求項２または請求項５に記載の子局。
【請求項１０】
上記制御回線は、上記通信回線及びＣＳＣ回線とは別に設けた制御回線により構成したことを特徴とする請求項２または請求項５に記載の子局。
【請求項１１】
上記制御回線は、ＣＳＣ回線により構成したことを特徴とする請求項３または請求項６に記載の親局。
【請求項１２】
上記制御回線は、上記通信回線及びＣＳＣ回線とは別に設けた制御回線により構成したことを特徴とする請求項３または請求項６に記載の親局。
【請求項１３】
衛星を経由する制御回線により子局から親局に回線割り当てを要求し、上記親局により上記子局に対して通信回線を割り当て、上記子局と相手子局との間で衛星通信を行う回線割当型の衛星通信システムにおいて、上記子局はそれに接続された第１のＩＰ通信端末からの名前解決要求メッセージに基づいて、上記制御回線により送信する制御信号を生成する衛星ＧＷ装置と、この衛星ＧＷ装置により生成した上記制御信号を上記制御回線により上記親局へ送信し、上記親局からの上記名前解決要求メッセージに対する回答に基づき上記親局によって割り当てられた通信回線により、上記第１のＩＰ通信端末からのＩＰデータを上記相手子局に接続された第２のＩＰ通信端末に送信する衛星通信装置を備え、上記親局は上記子局から送信された制御信号を上記制御回線により受信し、この制御信号に基づき生成された上記子局への名前解決要求メッセージの回答を上記制御回線により送信する親局衛星通信装置と、この親局衛星通信装置により受信した制御信号に基づき、上記子局に接続されたＩＰ通信端末からの名前解決要求メッセージに対する回答を生成すると共に、上記名前解決要求メッセージの回答に基づき上記子局と上記相手子局との間の通信回線を割り当てる回線制御装置とを備えた衛星通信システム。
【手続補正２】
【補正対象書類名】明細書
【補正対象項目名】０００５
【補正方法】変更
【補正の内容】
【０００５】
このＤＡＭＡシステムにおいて、ＤＮＳを行なう場合の従来例を図８に基づいて説明する。まず、子局２が親局１に対して回線接続要求を発し、親局１はこの回線接続要求に基づいて子局２に通信回線の割当を行なう。子局２はこの割当られた通信回線により、親局１のＤＮＳサーバ装置に対して相手子局２に接続されたＩＰ通信端末のアドレスを照会するＤＮＳプロトコルによる名前解決要求メッセージを送信する。子局２はＤＮＳプロトコルによる名前解決要求の回答を受信して、ＩＰ通信端末からのＩＰデータを相手ＩＰ通信端末に送信するための回線接続要求を親局１に発し、親局１はこの回線接続要求に基づいて子局２と相手子局２との間に通信回線を割当て、通信回線を接続する。子局２はこの割当てられた通信回線により、ＩＰデータを相手子局２のＩＰ通信端末に送信する。
【手続補正３】
【補正対象書類名】明細書
【補正対象項目名】００１１
【補正方法】変更
【補正の内容】
【００１１】
そこで、発明者らはＤＮＳプロトコルの名前解決要求メッセージに対する処理を制御回線（ＣＳＣ回線）で行なうことにより、通信回線の利用効率を高めることを提案した。図９はＣＳＣ回線を用いたＤＮＳプロトコルによる名前解決要求メッセージに対する処理を表す処理シーケンス図である。
まず、子局２に接続されたＩＰ通信端末がＤＮＳ要求のメッセージを発し、このメッセージを子局２の衛星ＧＷ装置によりＣＳＣ回線で送信できる制御信号に変換し、親局１に送信する。親局１は受信した制御信号からメッセージを再生し、ＤＮＳサーバ装置により名前解決要求のメッセージを検索して回答を作成し、回線制御装置でＤＮＳ回答の制御信号に変換し、子局２に送信する。子局２はＩＰ通信端末からのＩＰデータを相手ＩＰ通信端末に送信するための回線接続要求を親局１に発し、親局１はこの回線接続要求に基づいて子局２と相手子局２との間に通信回線を割当て、通信回線を接続する。子局２はこの割当てられた通信回線により、ＩＰデータを相手子局２のＩＰ通信端末に送信する。
【手続補正４】
【補正対象書類名】明細書
【補正対象項目名】００３３
【補正方法】変更
【補正の内容】
【００３３】
図３に図示しないが、親局１の親局衛星通信装置７内には、子局２の衛星通信装置１９内の通信回線変復調部２３に相当する回路部が、また親局１内には、子局２の衛星ＧＷ装置２０に相当する装置があり、親局１に接続されるＩＰ通信端末（図示省略）、またインタフェースを介した他のネットワークの装置（図示省略）が親局１を利用して、通信衛星３を介した通信回線６により、複数の子局２に接続されたＩＰ通信端末１５等との間で通信が行えるものである。この親局１において、ＩＰ通信端末等に提供される機能を果たす回路及び装置は、子局２に備えられた構成と同じ構成のものであると考えればよい。
【手続補正５】
【補正対象書類名】明細書
【補正対象項目名】００３５
【補正方法】変更
【補正の内容】
【００３５】
親局１は上りＣＳＣ回線４をモニタしており、子局２から送信された回線割当要求信号を送受信機１０で受信して、ＣＳＣ回線変復調部１１で復調し、信号処理部１２に伝送して信号処理して再生する。親局１の信号処理部１２により再生された回線割当要求信号はＤＡＭＡ回線制御部１３に入力され、ＤＡＭＡ回線制御部１３はシステム専用帯域（通信システムに与えられる使用できる周波数帯域のこと）中の空き領域を検索し、空き領域に通信回線を割り当て、その中心周波数と帯域幅の情報、及び当該回線割当要求をした子局２と相手子局２とを特定する情報を含む回線割当応答信号を生成し、信号処理部１２へ出力する。回線割当応答信号は、信号処理部１２により信号処理され、ＣＳＣ回線変復調部１１により変調され、送受信機１０から下りＣＳＣ回線５により子局２へ送信される。
【手続補正６】
【補正対象書類名】明細書
【補正対象項目名】００３６
【補正方法】変更
【補正の内容】
【００３６】
子局２と相手子局２は、下りＣＳＣ回線５をモニタしており、親局１から送信された回線割当応答信号を送受信機２１で受信すると、これをＣＳＣ回線変復調部２２で復調し、信号処理部２４で再生する。信号処理部２４は親局１から割り当てられた通信回線６の中心周波数と帯域幅に通信回線変復調部２３を設定して子局２間での通信を行う。ここで割り当てられる通信回線６は子局２から相手子局２への送信回線、相手子局２から子局２への送信回線である。子局２間での通信が終了すると、子局２の伝送制御部２６にて通信終了信号が生成されて、上りＣＳＣ回線４により親局１へ送信され、親局１は割り当てていた通信回線６を開放し、システム専用帯域中の空き領域とする。
【手続補正７】
【補正対象書類名】明細書
【補正対象項目名】００３７
【補正方法】変更
【補正の内容】
【００３７】
子局２間での通信は１対のＩＰ通信端末１５間で行われる場合だけでなく、当該子局２間で複数対のＩＰ通信端末１５間で行われる場合もあり、ＩＰ通信端末１５の対の増減によりデータ伝送量が増減する。データ伝送量が増減した場合には、子局２の伝送制御部２６により帯域変更要求信号を生成して上りＣＳＣ回線４により親局１に送信する。親局１は帯域変更要求信号を受信して、ＤＡＭＡ回線制御部１３にて通信回線の再割り当てを行うようにしてもよい。親局１のＤＡＭＡ回線制御部１３は回線再割当応答信号を生成して下りＣＳＣ回線５により子局２に送信し、これを受信した子局２及び相手子局２は通信周波数帯域を変更する。
このような通信回線６の再割り当てによって、システム専用帯域の柔軟な運用が行えるものである。なお、親局１が子局２との間で通信を開始する場合の回線割当は、直接親局１のＤＡＭＡ回線制御部１３で行い、回線割当応答信号を相手子局２へ下りＣＳＣ回線５により送信すればよい。
【手続補正８】
【補正対象書類名】明細書
【補正対象項目名】００５７
【補正方法】変更
【補正の内容】
【００５７】
実施の形態２．
次にこの発明の実施の形態２における衛星通信方法、子局及び親局、衛星通信システムを説明する。
実施の形態１の発明は、ＩＰ通信端末１５によるＩＰ通信のための各種処理信号を送受信する制御回線としてＣＳＣ回線を用いていたが、実施の形態２の発明は、実施の形態１の上りＣＳＣ回線４及び下りＣＳＣ回線５の代わりに、ＣＳＣ回線及び通信回線とは別に設けた子局２および親局１間の上り及び下り制御回線（図２には図示しないが、上りＣＳＣ回線４及び下りＣＳＣ回線５に相当する。）を設け、この制御回線によりＩＰデータ通信のための各種信号処理を行なうようにしたものである。
【手続補正９】
【補正対象書類名】明細書
【補正対象項目名】００５８
【補正方法】変更
【補正の内容】
【００５８】
上りＣＳＣ回線４及び下りＣＳＣ回線５は元々ＤＡＭＡ方式を成立させる制御用の回線であり、この回線においてＩＰ通信端末によるＩＰ通信のための各種処理信号を送受信すると回線が混雑し、本来のＤＡＭＡ制御が十分に機能しなくなることも予測し得る。その場合には、ＩＰ通信端末によるＩＰ通信のための各種処理信号は、上りＣＳＣ回線４及び下りＣＳＣ回線５の代わりに、ＣＳＣ回線及び通信回線とは別に、子局２および親局１間に上り及び下り制御回線を設け、この制御回線により送受信するようにしてもよい。
上記の名前解決要求メッセージに対する名前解決要求制御信号及び応答信号をこの制御回線により子局２と親局１との間で送受信することにより、ＣＳＣ回線および通信回線においてＩＰ通信端末の接続処理が大量に発生しＤＡＭＡの回線制御機能が損なわれて通信効率が低下することを防止することができる。